(57)【要約】  本発明は、モジュールラックシステムのためのラックの後部壁１に関連する。このモジュールラックシステムは、固定された状態において前記ラックの後部壁１のたわみを抑え、遮光状態において一方が他方の上に配置された２つの後部壁１の間隙を塞ぐものである。本発明は、前記ラックの後部壁における深さ方向の２つの長手方向の端部のうち一方から伸びるエレメント３を有する前記ラックの壁１によって目的を達成し、該エレメント３は、幅方向において凹部４または凸部５を有する。好適な実施形態において、前記ラック後部壁１は、両長手方向の端部にこのような部分３を有し、これにより、同一のラックの後部壁１を前記発明に係る後部壁１の下部または上部に配置することができるので可撓性の向上を獲得するとともに、前述の利点を獲得することができる。更に好適な実施形態において、前記凸部５は、各後部壁１の下方および上方において前記凹部４とともに溝形として作用する。
2016532493.tif 000002
【特許請求の範囲】
【請求項１】
少なくとも１つの直線状の長手縁を有するベースプレート（２）と、
前記ベースプレート（２）の前記長手縁から前記ベースプレートに対して垂直な深さ方向に伸び、かつ長手方向にわたって幅方向に凹部（４）または幅方向に凸部（５）を有するエレメント（３）と、を有する
２つのラックの支柱に吊されるラック壁（１）、特にラック後部壁またはラック側壁。
【請求項２】
前記ベースプレートは実質的に長方形のベースプレート有する、
請求項１に記載のラック壁（１）。
【請求項３】
前記エレメント（３）は、前記ベースプレート（２）の前記全長手端に沿って配置されている、
いずれかの前記請求項に記載のラック壁（１）。
【請求項４】
前記エレメント（３）は、前記ベースプレート（２）における２つの対向縁に備えられている、
請求項２または３のうち１つに記載のラック壁（１）。
【請求項５】
一方の前記長手縁の前記エレメント（３）が凹部であり、他方の長手縁の前記エレメント（３）が凸部であって、前記エレメント（３）の前記凹部（４）および前記凸部（５）が、溝部および合致する突起部（５）の形状を有するように形成されている、
請求項４に記載のラック壁（１）。
【請求項６】
前記エレメント（３）は、前記ベースプレート（２）を折りたたんで形成されている、
いずれかの前記請求項に記載のラック壁（１）。
【請求項７】
前記ベースプレート（２）の前記幅方向に沿った前記２つの他の端縁は、ラックの支柱に固定するための接続手段（６）が備えられている、
いずれかの前記請求項に記載のラック壁（１）。
【請求項８】
前記接続手段（６）は、前記ラックの支柱における各パンチ穴に吊すためのフックである、
請求項６に記載のラック壁（１）。
【請求項９】
上下に配置された２つのラック壁の前記各凸部（５）または各凹部（４）は、それぞれ相互に作用し、前記２つのラック壁間における前記２つのベースプレートの間隙は、遮光手段によって閉じられている、
いずれかの前記請求項に記載の２つのラック壁の組み合わせ。
【請求項１０】
一方のラック壁における前記エレメント（３）の前記凹部（４）は、溝部（４）を形成し、隣接する他方のラック壁におけるエレメント（３）の前記凸部（５）は、合致する突起部（５）を形成する、
請求項９に記載の２つのラック壁の組み合わせ。
【発明の詳細な説明】
【技術分野】
【０００１】
モジュールラックシステムは、容易に、個々の部品から組み立てることができ、かつ個々の部品に解体することができることを特徴とする。これにより、モジュールラックシステムは、その目的の場所において簡単な手順で組み立てることができ、かつ現地のニーズにしたがって設定および／または変更することができる。店舗設備の分野においては、商品範囲を常に変更しなければならず、個別に変更できるなどの機能が求められるので、モジュールラックシステムは、特に店舗設備の分野において上記のような機能（簡単な組み立て、ニーズにしたがった設定／変更）を有することを実証した。さらに、そのモジュール式の構造も、解体した状態において個々の部品の保管や移動が容易であるので、モジュールラックシステムの製造者に有利である。
【背景技術】
【０００２】
一般的に、モジュール式ラックシステムは、複数の穴が開けられたラックの支柱により構成されており、この支柱は、足置き台に垂直に設置されている。また、モジュール式ラックシステムは、ラック棚を支持するために水平に向けられた取り付け金具のパンチ穴に固定されている。視覚的理由および製品が後方に倒れることを防止するために、ラックの支柱間におけるラック壁は備えられている。多くの場合、個々の光のコンセプトは、前記ラックに配列された製品の視覚的プレゼンテーションを向上させるため、最適な明かりのもとで完全に前記製品が強調されるように作り出されている。場合によっては、必要な光源が、例えば前記製品や売り場の間接照明を可能にするため、ラックの後部壁の後方に配置されている。
【０００３】
先行技術から知られるモジュール式ラック壁は、フックを有しており、前記ラック壁は、このフックを用いて相互に間隔を空けられた２つのラックの支柱における前記パンチ穴に固定され、これにより、製品が配置されているラック棚の表面の後端部の位置を規定している。さらに、ラックの後方壁を固定することにより、ラックの支柱は、側面の傾斜に対して安定する。しかし、このようなラックシステムの不利点としては、もし複数のラック後部壁が上下に固定されると、上下に配置される２つの隣接したラック壁における前記境界領域が、遮光しない。それは、棚における前記２つのラック壁の前記間隙を見ている観察者に、前記後部壁の後方に配置される光源のために望まない視覚的な印象が伝わることを意味する。
【０００４】
この悩ましい視覚的影響は、上下に配置されるラック壁の遮光シールを許さない製作公差の結果である。一方、ある期間を超えて生じる固定されたラック後部壁のたわみが、このマイナスの影響が増加する一因となる。一般的に、このたわみは、このラック壁自体の重さに基づくものである。さらに、前記ラックの支柱から前記ラック壁に移動し、ある使用の期間後に発生するせん断力に起因する前記ラック壁において、少量の反りが生じる可能性がある。
【発明の概要】
【発明が解決しようとする課題】
【０００５】
本発明の課題は、少なくとも一部において後述する欠陥を解消し、製造が容易で安定的かつ同時に上下に配置されたさらなるラックの壁に遮光された間隙が可能なモジュール式ラックシステムのためのラック壁を提供することである。
【課題を解決するための手段】
【０００６】
この課題は、本請求項１に記載される前記ラックの後部壁によって少なくとも部分的に解決される。請求項１に記載された本発明のラックの後部壁は、上下に配置されたさらなるラックの後部壁への遮光された間隙が可能であるとともに、組み立てられた状態におけるたわみに対する前記ラックの壁の安定に資する。対応する方法で、本発明は、ラックの側壁に適用されることもできる。
【０００７】
従属請求項は、さらに前記ラック後部壁における好ましい改良に言及する。
【０００８】
本発明の実施形態は、図面の手段によって詳細に説明される。
【図面の簡単な説明】
【０００９】
【図１】上下に配置された２つのラック後部壁を示す正面図である。
【００１０】
【図２】上下に配置された２つのラック後部壁を示す側面図である。
【００１１】
【図３】拡大された表示における図２の補助円Ａによって指示された部分を示す。
【発明を実施するための形態】
【００１２】
本発明の明確な説明を容易にするため、前記ラック後部壁に固定された座標が導入され、後述のように本座標は図１および図２の手段によって明確にされる。
【００１３】
前記長手方向（この長手方向は、前記ラック後部壁の固定された状態において水平方向に相当する。）は、接続手段が備えられている前記ラック後部壁の一方の辺から伸びる方向である。この接続手段は、この接続手段を備える前記ラック後部壁の他方の辺にラックの支柱を固定するためのものである。
【００１４】
幅方向（この幅方向は、前記ラックの後部壁が固定された状態において垂直方向に相当する。）として前記長手方向に直交する方向は、前記ラック後部壁によって形成された面内に規定される。これにより、前記幅方向は、前記ラック後部壁における一方の長手縁から前記ラック後部壁における他方の長手縁に伸びるように規定される。
【００１５】
前記深さ方向は、前記長手方向および前記幅方向に直交する。これにより、前記深さ方向は、前記ラック後部壁が固定された状態における前記ラックの深さを示す。
【００１６】
図１に示す前記ラック後部壁１は、実質的に矩形状のベースプレート２を有し、接続手段６を介して幅が規定されるラックの側面において垂直のラックの支柱（図示せず）に固定されている。前記２つのラック壁１における前記間隙領域は、遮光手段によって閉じられており、また、固定状態において生じる前記ラック壁１のたわみに対して２つのラック壁１を安定させる。
【００１７】
図２は、図１において上下に配置される前記ラック壁１の側面を示す。フックとして形成された前記接続手段６が視認され、固定状態における前記垂直のラックの支柱に各パンチ穴にかみ合うように構成されている。さらに、各ラック壁は、長手端の一方に前記ベースプレート面２から前記ラック壁の深さ方向に伸びるエレメント３を有する。補助円Aによって示される前記間隙領域は、以下に更に詳細に記載される。
【００１８】
図３は、２つのラックの壁１の間隙領域Ａを詳細に示す。図3は、ベースプレート面から深さ方向に伸びる前記エレメント３の正確な形状を示す。前記ラック壁は、その長手端において前記深さ方向に伸びるエレメント３を有する。この深さ方向は、前記ベースプレート２のベースプレート面に垂直である。さらに、このエレメント３は、幅方向に向かって伸びる凹部４および／または幅方向に向かって伸びる凸部５を有する。前記凹部とは、幅方向において前記長手縁からからそれぞれの対向する長手縁に下降しているエレメントを表す。前記凸部とは、幅方向において前記長手縁からそれぞれの対向する長手縁に離れて突出するエレメントを表す。図３に記載された本実施形態において、前記下方のラック後部壁２は、凸部５の形状である前記エレメント３を示す。前記上方のラック後部壁は、隣接するその側縁において凹部４として形成されたエレメント３を有している。このため、下方に配置されたラックの後部壁における凸部５を合わせることができる。前記凹部４および前記凸部５は、溝形システムにおける溝部４および突起部５として相互に作用する。
【００１９】
これにより、２つのラック後部壁１間における遮光された間隙を提供することができる。前記ラック後部壁１の正面における使用者は、前記ラック後部壁の後方における明かりの状態にかかわりのない各照明よって望まれるように設計することができる変わらない視覚上の印象を受ける。さらに、上下に配置された前記２つのラック後部壁における前記凸部５および前記凹部４は、前記固定されたラック後部壁１のたわみに対する安定性に有利に貢献する。
【００２０】
これにより、前記ラック後部壁１の後方にさらなる作業成果なしにラック構造の領域に照明を設置することができる。これと同時に、光源は、前記ラック壁１における間隙領域を介して光らない。これにより、前記ラック後部壁の使用者の視覚上の印象は、前記ラック後部壁の後方に配置されたこの光源によって損なわれることはない。さらに、エレメント３から発生し、上方に配置されたラック後部壁のための弾性力を有するサポート機能は、時間の経過により通常発生する前記ラック後部壁のたわみに対して有利となる。
【図１】
2016532493.tif 000003
【図２】
2016532493.tif 000004
【図３】
2016532493.tif 000005
【手続補正書】
【提出日】平成27年11月10日(2015.11.10)
【手続補正１】
【補正対象書類名】特許請求の範囲
【補正対象項目名】全文
【補正方法】変更
【補正の内容】
【特許請求の範囲】
【請求項１】
実質的に長方形のベース形状を備え、相互に対向する２つの直線状の長手縁を有するベースプレート（２）と、
前記ベースプレート（２）における前記２つの長手縁の一方を、前記ベースプレートに垂直な後部の深さ方向に折りたたむことにより形成され、幅方向において前記長手方向にわたる凹部（４）を有する第１のエレメント（３）と、
前記ベースプレート（２）における前記２つの長手縁の他の１つを、前記ベースプレートに垂直な後部の深さ方向に折りたたむことにより形成され、幅方向において長手方向にわたる凸部（５）を有する第２のエレメント（３）とを有しており、
前記第１および第２のエレメントにおける前記凹部および前記凸部が、溝部（４）および合致する突起部（５）の形状を有するように形成されている、
２つの支柱に吊されるラック後部壁（１）。
【請求項２】
前記第１および第２のエレメント（３）は、前記ベースプレート（２）における完全に対応する長手縁に沿ってそれぞれ配置されている、
請求項１に記載のラック後部壁（１）。
【請求項３】
前記ベースプレート（２）の幅方向に沿った前記２つの他の端縁は、ラックの支柱に固定するための接続手段（６）が備えられている、
いずれかの前記請求項に記載のラック後部壁（１）。
【請求項４】
前記接続手段（６）は、前記ラックの支柱における各パンチ穴に吊すためのフックである、
請求項１に記載のラック後部壁（１）。
【請求項５】
上下に配置された２つのラック後部壁の前記各凸部（５）または各凹部（４）は、それぞれ相互に作用し、前記２つのラック後部壁間における前記２つのベースプレートの間隙は、遮光手段によって閉じられている、
いずれかの前記請求項に記載の２つのラック後部壁の組み合わせ。
【請求項６】
一方のラック後部壁における前記第１のエレメント（３）の前記凹部（４）は、溝部（４）を形成し、隣接する他方のラック後部壁における第２のエレメント（３）の前記凸部（５）は、合致する突起部（５）を形成する、
請求項５に記載の２つのラック後部壁の組み合わせ。
【手続補正書】
【提出日】平成28年2月4日(2016.2.4)
【手続補正１】
【補正対象書類名】特許請求の範囲
【補正対象項目名】全文
【補正方法】変更
【補正の内容】
【特許請求の範囲】
【請求項１】
実質的に長方形のベース形状を備え、相互に対向する２つの直線状の長手縁を有するベースプレート（２）と、
前記ベースプレート（２）における前記２つの長手縁の一方を、前記ベースプレートに垂直な後部の深さ方向に折りたたむことにより形成され、幅方向において前記長手方向にわたる凹部（４）を有する第１のエレメント（３）と、
前記ベースプレート（２）における前記２つの長手縁の他の１つを、前記ベースプレートに垂直な後部の深さ方向に折りたたむことにより形成され、幅方向において長手方向にわたる凸部（５）を有する第２のエレメント（３）とを有しており、
前記第１および第２のエレメントにおける前記凹部および前記凸部が、溝部（４）および合致する突起部（５）の形状を有するように形成されている、
２つの支柱に吊されるラック後部壁（１）。
【請求項２】
前記第１および第２のエレメント（３）は、前記ベースプレート（２）における完全に対応する長手縁に沿ってそれぞれ配置されている、
請求項１に記載のラック後部壁（１）。
【請求項３】
前記ベースプレート（２）の幅方向に沿った前記２つの他の端縁は、ラックの支柱に固定するための接続手段（６）が備えられている、
請求項１または２に記載のラック後部壁（１）。
【請求項４】
前記接続手段（６）は、前記ラックの支柱における各パンチ穴に吊すためのフックである、
請求項３に記載のラック後部壁（１）。
【請求項５】
２つのラック後部壁の組み合わせであって、各ラック後部壁として請求項１〜４のいずれかに記載のラック後部壁（１）を用い、
上下に配置された２つのラック後部壁の前記各凸部（５）または各凹部（４）は、それぞれ相互に作用し、前記２つのラック後部壁間における前記２つのベースプレートの間隙は、遮光手段によって閉じられている、
２つのラック後部壁の組み合わせ。
【請求項６】
一方のラック後部壁における前記第１のエレメント（３）の前記凹部（４）は、溝部（４）を形成し、隣接する他方のラック後部壁における第２のエレメント（３）の前記凸部（５）は、合致する突起部（５）を形成する、
請求項５に記載の２つのラック後部壁の組み合わせ。
【手続補正２】
【補正対象書類名】明細書
【補正対象項目名】００１７
【補正方法】変更
【補正の内容】
【００１７】
図２は、図１において上下に配置される前記ラック壁１の側面を示す。フックとして形成された前記接続手段６が視認され、固定状態における前記垂直のラックの支柱に各パンチ穴にかみ合うように構成されている。さらに、各ラック壁は、長手端の一方に前記ベースプレート２の面から前記ラック壁の深さ方向に伸びるエレメント３を有する。補助円Aによって示される前記間隙領域は、以下に更に詳細に記載される。
【手続補正３】
【補正対象書類名】明細書
【補正対象項目名】００１８
【補正方法】変更
【補正の内容】
【００１８】
図３は、２つのラックの壁１の間隙領域Ａを詳細に示す。図3は、ベースプレート面から深さ方向に伸びる前記エレメント３の正確な形状を示す。前記ラック壁は、その長手端において前記深さ方向に伸びるエレメント３を有する。この深さ方向は、前記ベースプレート２のベースプレート面に垂直である。さらに、このエレメント３は、幅方向に向かって伸びる凹部４および／または幅方向に向かって伸びる凸部５を有する。前記凹部とは、幅方向において前記長手縁からからそれぞれの対向する長手縁に下降しているエレメントを表す。前記凸部とは、幅方向において前記長手縁からそれぞれの対向する長手縁に離れて突出するエレメントを表す。図３に記載された本実施形態において、前記下方のラック後部壁１は、凸部５の形状である前記エレメント３を示す。前記上方のラック後部壁は、隣接するその側縁において凹部４として形成されたエレメント３を有している。このため、下方に配置されたラックの後部壁における凸部５を合わせることができる。前記凹部４および前記凸部５は、溝形システムにおける溝部４および突起部５として相互に作用する。
【国際調査報告】
2016532493.tif 000006
2016532493.tif 000007
2016532493.tif 000008
2016532493.tif 000009